(57)【要約】【解決手段】  切り換え式ベル１は、内部が中空に形成された非磁性体の中空球２と、当該中空球の内部に収容された玉３と、上記中空球に隣接して設けた筒状部材４の内部を進退動する保持部材５と、当該保持部材を前進位置と後退位置とに保持する切換手段９とを備えている。  上記玉と保持部材とは、磁力により相互に引き寄せあうようになっている。  上記警告音停止状態では保持部材が前進位置に位置し、上記保持部材と玉とが磁力により引き寄せあって、上記玉の中空球の内部での移動が阻止される（ａ）。  上記警告音発生状態では保持部材が後退位置に位置し、これにより上記玉は中空球の内部での移動を許容され、警告音を発生させることができる（ｃ）。【効果】  警告音発生状態と警告音停止状態とに切り換え可能であって、かつジョギングのように左右方向への力が作用しにくい状態であっても警告音を発生させることができる。【選択図】  図５
2015002710.tif 000002
【特許請求の範囲】
【請求項１】
警告音を発生させる警告音発生状態と、警告音が発生しないようにした警告音停止状態とに切り換え可能な切り換え式ベルにおいて、
内部が中空に形成された非磁性体の中空球と、当該中空球の内部に収容され、当該中空球と衝突することにより上記警告音を発生させる玉と、上記中空球に隣接して設けた筒状部材と、当該筒状部材の内部を進退動可能に設けた保持部材と、当該保持部材を上記中空球の表面に接近した前進位置と表面から離隔した後退位置とに保持する切換手段とを備え、
上記玉および保持部材のうち、少なくともいずれか一方を磁石として、これらが磁力により相互に引き寄せあうようにし、
上記警告音停止状態では、上記切換手段が上記保持部材を上記前進位置に位置させて、これにより上記保持部材と玉とが磁力により引き寄せあって、上記玉を上記中空球の内面に接触した状態を維持して上記玉の中空球の内部での移動を阻止し、
上記警告音発生状態では、上記切換手段が上記保持部材を上記後退位置に位置させて、これにより上記玉が中空球の内部での移動を許容することを特徴とする切り換え式ベル。
【請求項２】
上記切換手段は、上記筒状部材に形成した上記カム溝形成部と、筒状部材にそって進退動するとともに上記保持部材に接触する回転カムと、上記回転カムを前方に付勢するばねとを備え、
上記回転カムに、前後方向に向けて形成した突起と、該突起の先端部に形成したカム斜面とを形成し、
上記筒状部材のカム溝形成部の内面に、上記回転カムの突起が進入可能な深溝を形成するとともに、カム溝形成部の後端に、上記突起のカム斜面と当接して、上記突起を上記深溝に誘導して回転カムの前進を許容する前進許容斜面と、上記突起を前進許容斜面との境界に形成された当接面に当接させて回転カムの前進を阻止する前進阻止斜面とを形成し、
上記回転カムの突起が前進許容斜面に誘導されて上記深溝に係合すると、回転カムが上記ばねの付勢力によって前進して上記保持部材を上記前進位置まで押圧して警告音停止状態となり、
上記回転カムの突起が上記前進阻止斜面に誘導されると、回転カムの前進が阻止されて、上記保持部材が上記後退位置に保持されて警告音発生状態となることを特徴とする請求項１に記載の切り換え式ベル。
【請求項３】
上記筒状部材から上記中空球までを覆う、樹脂製のカバーを設けたことを特徴とする請求項１または請求項２のいずれかに記載の切り換え式ベル。
【発明の詳細な説明】
【技術分野】
【０００１】
本発明は切り換え式ベルに関し、詳しくは警告音を発生させる警告音発生状態と、警告音が発生しないようにした警告音停止状態とに切り換え可能な切り換え式ベルに関する。
【背景技術】
【０００２】
従来、ハイキングや山野草採取を行う際、熊との遭遇を避けるための警告音を発生させる熊ベルが知られており、また近年ではランニング中に周囲の歩行者等に自らの存在を知らせるためにベルが使用されている。
しかしながら、上記ベルは、例えば電車や市街地などにおいて警告音が発生すると他者への迷惑となることから、上記警告音を発生させる警告音発生状態と、警告音が発生しないようにした警告音停止状態とに切り換え可能とした切り換え式ベルが知られている（特許文献１）。
上記特許文献１の切り換え式ベルは、打撃部を揺動可能に保持する保持部材を前進もしくは後退させることにより、上記打撃部を揺動させて音響ワン部の内面に衝突するのを許容し、もしくは打撃部の揺動を規制して音響ワン部の内面に衝突しないようにする構成を有していた。
【先行技術文献】
【特許文献】
【０００３】
【特許文献１】特開２０１２−８５５６２号公報
【発明の概要】
【発明が解決しようとする課題】
【０００４】
しかしながら、上記特許文献１の切り換え式ベルの場合、打撃部は揺動することによって音響ワン部に衝突し、これにより警告音を発生させるが、例えばジョギング等の活動においては、切り換え式ベルに対して上下方向への力が作用するものの、左右方向への力がそれほど作用しない場合があり、そのため打撃部が十分に揺動せず、上記警告音が発生しないという問題が生じていた。
このような問題に鑑み、本発明は警告音発生状態においてより確実に警告音を発生させることが可能な切り換え式ベルを提供するものである。
【課題を解決するための手段】
【０００５】
すなわち、本発明における切り換え式ベルは、警告音を発生させる警告音発生状態と、警告音が発生しないようにした警告音停止状態とに切り換え可能な切り換え式ベルにおいて、
内部が中空に形成された非磁性体の中空球と、当該中空球の内部に収容され、当該中空球と衝突することにより上記警告音を発生させる玉と、上記中空球に隣接して設けた筒状部材と、当該筒状部材の内部を進退動可能に設けた保持部材と、当該保持部材を上記中空球の表面に接近した前進位置と表面から離隔した後退位置とに保持する切換手段とを備え、
上記玉および保持部材のうち、少なくともいずれか一方を磁石として、これらが磁力により相互に引き寄せあうようにし、
上記警告音停止状態では、上記切換手段が上記保持部材を上記前進位置に位置させて、これにより上記保持部材と玉とが磁力により引き寄せあって、上記玉を上記中空球の内面に接触した状態を維持して上記玉の中空球の内部での移動を阻止し、
上記警告音発生状態では、上記切換手段が上記保持部材を上記後退位置に位置させて、これにより上記玉が中空球の内部での移動を許容することを特徴としている。
【発明の効果】
【０００６】
上記発明によれば、上記玉は中空球の内部で上下左右に移動して当該中空球に衝突して警告音を発生させるため、ジョギングのように左右方向への力がｓそれほど作用しない場合であっても警告音を発生させることができる。
また本発明では警告音停止状態もしくは警告音発生状態に切り換えることが可能となっており、警告音が不要な場合には警告音停止状態として、他者への迷惑を防止することができる。
【図面の簡単な説明】
【０００７】
【図１】切り換え式ベルの断面図
【図２】切り換え式ベルの外観を示す側面図
【図３】切換手段を説明する断面図
【図４】図３におけるａ−ａ部、ｂ−ｂ部、ｃ−ｃ部の各部を説明する平面図もしくは底面図
【図５】動作を説明する図
【発明を実施するための形態】
【０００８】
以下、図示実施例について説明すると、図１、図２は、ジョギング等の際に警告音を発生させることによって周囲の歩行者等に自らの存在を知らせる切り換え式ベル１を示し、図１は断面図を、図２は側面図をそれぞれ示している。
切り換え式ベル１は、内部が中空に形成された中空球２と、当該中空球２の内部に収容された玉３と、上記中空球２の上部に設けた筒状部材４と、当該筒状部材４の内部を進退動する保持部材５と、上記筒状部材４から上記中空球２までを覆う樹脂製のカバー６と、上記筒状部材４の上方に設けられるとともにワイヤー７を介して上記保持部材５に連結されるリング８とから構成されている。
このような構成を有する切り換え式ベル１は、上記リング８をカラビナなどの連結器具を用いてズボンのベルトループ等に装着することで、上記中空球２が下方にぶら下がった状態で使用するようになっている。
そして本実施例の切り換え式ベル１は、図５（ａ）に示す警告音が発生しない警告音停止状態と、図５（ｃ）に示す警告音が発生する警告音発生状態とに切り換えることが可能な切換手段９を備えている。
なお、以下の説明において、前方もしくは後方という表現は、図１における上下方向に対応しており、前方が図示下方、後方が図示上方にそれぞれ対応している。
【０００９】
上記中空球２は非磁性体からなる中空の球状部材となっており、当該中空球２の内部に収容された上記玉３は、鉄などの磁性体からなる略球状の部材となっている。
つまりこの中空球２および玉３は、従来公知の鈴と同じ構造を有しており、上記玉３が中空球２の内部で移動すると、玉３と中空球２との衝突によって警告音が発生するようになっている。
なお、本実施例の図に示す玉３は球状を有しているが、中空球２の内部で移動して衝突により警告音を発生させる形状を有していればよい。
上記中空球２の下方には警告音を良好に発生させるためのスリット２ａが形成され、また中空球２の上部には筒状の筒状ホルダー２ｂがロウ付け等の手段によって固定されている。
上記筒状ホルダー２ｂは上記筒状部材４の外周を囲繞するように設けられ、当該筒状部材４に対して上下に摺動可能となっており、上記中空球２の上部表面を上記筒状部材４の先端に対して接離させることが可能となっている。
なお、上記筒状ホルダー２ｂを省略して、上記筒状部材４の先端に上記中空球２を直接固定してもよい。
【００１０】
上記筒状部材４は、上記中空球２の上部に軸方向が上下方向を向いて設けられた筒状の部材であって、外部中央に形成された段差部４ａを挟んで、当該段差部４ａの上部には上記カバー６が、段差部４ａの下部には上記中空球２の筒状ホルダー２ｂがそれぞれ筒状部材４を覆うように設けられている。
また筒状部材４には上下に貫通する通路が形成され、その下方から順に、上記保持部材５を収容する保持部材収容部４ｂと、上記切換手段９を構成する小径のカム溝形成部４ｃと、後述する回転カム１４を収容する回転カム収容部４ｄとが形成されている。
【００１１】
上記保持部材５は、上記筒状部材４の保持部材収容部４ｂに収容される大径部５ａと、当該大径部５ａの上部に設けられて上記カム溝形成部４ｃに収容されるカム部５ｂと、上記大径部５ａの下端に設けられた円筒状のネオジム磁石１１とから構成されている。
上記大径部５ａとカム部５ｂとの間には段差が形成され、上記筒状部材４における保持部材収容部４ｂとカム溝形成部４ｃとの間に形成された段差に下方から当接することで、これ以上の保持部材５の上方への移動が規制されるようになっている。
また、上記保持部材５には上下に貫通した通路が形成されて上記ワイヤー７が挿入されており、この通路の途中には中心に向けて突出する突起５ｃが形成されている。
上記ワイヤー７は、上記カム部５ｂの上方から、上記筒状部材４およびカバー６の内部を通過して、上記カバー６の上方に突出した部分でＵ字形に折り返されており、当該折り返し部分が上記リング８に連結されている。
一方、ワイヤー７の下端部にはＵ字形に折り返されたカシメ部が設けられており、当該カシメ部は上記保持部材５の突起５ｃに下方から係合することで、保持部材５がワイヤー７から脱落しないようになっている。
【００１２】
上記ネオジム磁石１１は円筒状を有するとともに、上記大径部５ａの下端部に嵌着され、下方の底面が上記中空球２に対向するように設けられている。
そしてネオジム磁石１１の磁力は、上記非磁性体からなる上記中空球２には及ばないものの、上記磁性体からなる玉３には及ぶようになっている。
つまり、中空球２は非磁性体であるので、上記ネオジム磁石１１の磁力によっても磁力を発生させることはなく、中空球２自体が玉３を引き寄せて当該中空球２の内部に保持することはできない。
しかし、ネオジム磁石１１が中空球２に接近すると、その磁力によって中空球２の壁面を介して当該中空球２の内部の玉３を引き寄せることができ、当該玉３を中空球２の壁面を挟んで保持することが可能となっている。
【００１３】
上記カバー６は、上記筒状部材４における段差部４ａの上方から嵌合して当該筒状部材４を保持する保持部６ａと、当該保持部６ａの下方に形成されて上記中空球２を覆う傘部６ｂと、上記保持部６ａの上部に形成されて有底筒状のキャップ１２を収容するキャップ収容部６ｃと、上記保持部６ａとキャップ収容部６ｃとの間に形成されたばね受け部６ｄとから構成されている。
上記傘部６ｂは、上記中空球２に接触しないように形成され、当該中空球２よりも若干下方まで形成されている。また傘部６ｂには上下方向に向けて複数のスリット６ｅが形成されている。
上記キャップ１２は有底筒状を有するとともにその底面の中央には上記ワイヤー７が貫通する貫通孔が形成されており、また底面と上記ばね受け部６ｄとの間にはばね１３が弾装されている。
このばね１３は、キャップ１２を常時カバー６から外部に突出する方向に付勢するが、上記キャップ１２の底面は上記ワイヤー７の折り返し部に設けたリング８に下方から当接するため、キャップ１２の飛び出しが阻止されている。
一方、上記リング８は、上記キャップ１２を介して上記ばね１３の付勢力によって上方に付勢されることから、当該リング８を介してワイヤー７に連結された保持部材５は上記ばね１３によって上方に向けて付勢されるようになっている。
【００１４】
次に、図３、図４を用いて上記切換手段９について説明すると、図３は切り換え式ベル１の各部材の組立図を示しており、図４（ａ）（ｂ）（ｃ）はそれぞれ図３におけるａ−ａ部、ｂ−ｂ部、ｃ−ｃ部の平面図もしくは底面図を示している。
本実施例の切換手段９は、いわゆるノック式の回転カム機構となっており、上記筒状部材４に形成した上記カム溝形成部４ｃと、上記保持部材５に形成したカム部５ｂと、筒状部材４の回転カム収容部４ｄに収容された回転カム１４とによって構成されている。
図４（ｂ）は上記カム溝形成部４ｃを後方、すなわち上方からみた平面図となっており、当該カム溝形成部４ｃの内周面には、上下方向に向けて、一つおきに３本の深溝２１と、当該深溝２１より浅い３本の浅溝２２とが形成されている。
またカム溝形成部４ｃの上端部、すなわち上記回転カム収容部４ｄとカム溝形成部４ｃとの境界には、一つおきに、上記回転カム１４の前進を阻止する３つの前進阻止斜面２３と、回転カムの前進を許容する３つの前進許容斜面２４とが形成され、これら前進阻止斜面２３と前進許容斜面２４との境界には当接面２５が形成されている。
図３に示すように、上記前進阻止斜面２３と前進許容斜面２４とは、その上端部が同じ高さに形成されており、図４（ｂ）において、各傾斜カムはそれぞれ反時計方向に向けて前方、すなわち下方に向けて傾斜するように形成されている。
そして上記前進阻止斜面２３は深溝２１に隣接した位置から浅溝２２の上部にかけて形成され、上記当接面２５はこの前進阻止斜面２３の下端部に隣接して形成されている。そして前進許容斜面２４はこの当接面２５に隣接した位置から他方の深溝２１に隣接した位置にかけて形成されている。
【００１５】
次に上記保持部材５のカム部５ｂには、図４（ｃ）に示すように、その外周面には６つの突起２６が上下方向に向けて形成されており、これらの突起２６は上記筒状部材４のカム溝形成部４ｃにおける深溝２１もしくは浅溝２２に嵌合するようになっている。
このような構成により、上記保持部材５は筒状部材４に対して回転しないように保持され、上下方向のみの移動が許容されるようになっている。
さらに、カム部５ｂの上方の端面にはギザギザ状の環状の歯部２７が形成され、図５（ｂ）に示すように、保持部材５が上昇すると、上記歯部２７が上記カム溝形成部４ｃの前進阻止斜面２３および前進許容斜面２４の上方に突出するようになっている。
【００１６】
上記回転カム１４は、図１に示すようにその中央を上記ワイヤー７が貫通するように形成され、当該回転カム１４の外周面には、その上方から順に、上記筒状部材４の回転カム収容部４ｄと同径に形成された大径部１４ａと、上記カム溝形成部４ｃと同径に形成された中径部１４ｂと、上記中径部１４ｂの下方に形成されて上記保持部材５の通路に挿入可能な小径部１４ｄとから構成されている。
また上記回転カム１４と上記カバー６のばね受け部６ｄとの間にはばね２８が弾装されており、このばね２８の付勢力によって回転カム１４は常時下方に向けて付勢されるようになっている。
上記中径部の外面には、上下方向に向けて３つの突起２９が形成され、各突起２９は上記カム溝形成部４ｃに形成された３つの深溝２１に進入可能な高さに形成され、上記浅溝２２には進入できない高さに形成されている。
また、各突起２９の先端には、上記カム溝形成部４ｃの前進阻止斜面２３および前進許容斜面２４に当接するカム斜面２９ａが形成されている。
さらに、上記小径部１４ｄの先端には、ギザギザ状の歯部３０が形成されており、当該歯部３０は、図５（ｂ）に示すように上記保持部材５のカム部５ｂに形成された歯部２７と嵌合するように形成されている。
ここで、図４（ａ）（ｃ）に示すように、上記保持部材５における突起２６と歯部２７との位置関係と、上記回転カム１４における突起２９と歯部３０との位置関係を比較すると、歯部２７と歯部３０とは半ピッチ分ずれた位置に形成されている。
このため、図５（ａ）（ｃ）に示すように、保持部材５の突起２６と回転カム１４の突起２９とが上下に整列した状態では、歯部３０と歯部２７とは相互に嵌合できないようになっている。
【００１７】
以下、図５（ａ）〜（ｃ）を用いて、切り換え式ベル１の使用方法について説明する。
まず図５（ａ）に示す警告音停止状態について説明すると、この警告音停止状態において、上記回転カム１４の突起２９は上記筒状部材４におけるカム溝形成部４ｃの深溝２１に係合し、これにより回転カム１４は当該カム溝形成部４ｃによって下方に前進した状態となっている。
このとき、上記カバー６のキャップ収容部６ｃに収容されたキャップ１２は、ばね１３の付勢力によって上方に付勢されており、これにより上記リング８およびワイヤー７を介して保持部材５も上方に向けて付勢されている。
一方上記回転カム１４は、ばね２８の付勢力によって下方に付勢されており、これら二つのばね１３、２６の付勢力によって上記保持部材５と回転カム１４とは相互に当接した状態を維持している。
ただし、上記回転カム１４を付勢するばね２８のほうが、上記キャップ１２を付勢するばね１３よりも付勢力が大きく設定されおり、このため上記ばね２８の付勢力により回転カム１４は保持部材５を下方に押圧するようになっている。
その結果、保持部材５は上記筒状部材４における保持部材収容部４ｂの先端部近傍の前進位置に位置することとなり、上記ネオジム磁石１１が上記中空球２の表面に接近するようになっている。
【００１８】
このように保持部材５が前進位置に位置し、上記ネオジム磁石１１が中空球２の表面に接近すると、上記ネオジム磁石１１の磁力が中空球２の内部空間に及ぶこととなる。
その結果、当該磁力によって玉３が引き寄せられ、球３は中空球２の壁面を介してネオジム磁石１１に磁着し、上記玉３は上記中空球２の内面に接触した状態が維持されることとなる。
すなわち、この警告音停止状態においては、当該中空球２の内部での玉３の移動が阻止されるため、これにより玉３と中空球２との衝突による警告音が発生しないようになっている。
なお、保持部材５が前進位置に位置した際に、上記玉３が中空球２の下方に位置して上記ネオジム磁石１１の磁力が及ばないような場合も、その後使用者の動作によって玉３が中空球２の内部で跳ね上がることで、上記磁力によって玉３を引き寄せることができ、速やかに上記警告音停止状態とすることができる。
さらに、上記磁力を超える強い衝撃によって一度引き寄せた玉３が中空球２の内面より脱落したとしても、その後磁力によって速やかに再度玉３が引き寄せられるため、警告音が連続して発生することはない。
【００１９】
次に図２（ａ）に示す警告音停止状態から図２（ｃ）に示す警告音発生状態とする場合、使用者は上記リング８とカバー６とを相互に離隔させる操作を行う（図２（ｂ）。
具体的には、上記リング８はズボン等に連結されているため、使用者はカバー６を保持してこれを下方等に引っ張る操作を行えばよい。
すると、上記リング８が上記カバー６に対して相対的に上方に離隔し、これに伴って上記ワイヤー７を介して保持部材５が上昇し、また上記回転カム１４も保持部材５によって下方から押圧されて上方へと後退する。
そして図５（ｂ）に示すように上記回転カム１４の突起２９が深溝２１の上方まで移動すると、上記突起２９がカム溝形成部４ｃの深溝２１に嵌合した状態から解放されるため、回転カム１４の回転が許容されることとなる
これにより、回転カム１４が若干回転しながら保持部材５に接近し、小径部１４ｃに形成した歯部３０が、保持部材５のカム部５ｂに形成した歯部２７と嵌合することとなる。
このように回転カム１４が回転すると、上記突起２９が上記深溝２１の上方の位置から偏倚し、当該突起２９は上記カム溝形成部４ｃの前進阻止斜面２３の上方に位置することとなる。
【００２０】
この図５（ｂ）に示すリング８とカバー６とを相対的に離隔させた状態から、使用者がカバー６の保持を解除すると、切り換え式ベル１は図５（ｃ）に示す警告音発生状態となる。
つまり、図５（ｂ）の状態からカバー６を手放すと、ばね２８の付勢力によって回転カム１４が下方に付勢され、これにより上記回転カム１４と保持部材５とは一体的に筒状部材４の内部を下方へと前進する。
すると、上記回転カム１４の突起２９のカム斜面２９ａが上記カム溝形成部４ｃの前進阻止斜面２３に当接するため、その後回転カム１４はこれらのカム斜面の摺接方向にしたがって回転しながら前進する。
その後、突起２９が前進阻止斜面２３と前進許容斜面２４との境界に形成された当接面２５に当接すると、回転カム１４の回転が阻止されることとなる。
また上記突起２９は浅溝２２に進入できない高さに形成されているため、回転カム１４はこれ以上前進できず、保持部材５は上記筒状部材４の保持部材収容部４ｂにおいて、上記前進位置よりも上方に後退した後退位置で停止することとなる。
保持部材５が後退位置に位置すると、上記ネオジム磁石１１が中空球２より離隔するため、当該ネオジム磁石１１の磁力が中空球２の内部に及ばないか、もしくはその磁力によっては玉３を中空球２の内部に保持できなくなる。
その結果、警告音停止状態において中空球２の内部に保持されていた玉３は、中空球２の内部での移動が許容され、当該玉３は使用者の運動に伴って移動し、中空球２と衝突して警告音を発生させることができる。
【００２１】
そして、上記図５（ｃ）の警告音発生状態から、再び図５（ａ）の警告音停止状態とするには、再び上記カバー６を引っ張り、これを離す操作を行えばよい。
カバー６を引っ張ると、図５（ｂ）のように上記回転カム１４が保持部材５によって下方から押圧されて上方へと後退し、回転カム１４の回転が許容されて、小径部１４ｃに形成した歯部３０と、保持部材５のカム部５ｂに形成した歯部２７と嵌合する。
このように回転カム１４が回転すると、今度は上記突起２９は上記浅溝２２の上方の位置から偏倚し、当該突起２９は上記カム溝形成部４ｃの前進許容斜面２４の上方に位置することとなる。
その後、カバー６を離すと、突起２９のカム斜面２９ａが前進許容斜面２４に当接して、回転カム１４は回転しながら前進し、また上記突起２９は上記深溝２１に沿って前進することとなる。
その結果、回転カムは図５（ａ）に示すように保持部材５を下方に前進させて、上記保持部材５は上記後退位置から前進位置に移動することとなり、上記警告音停止状態となる。
このとき、カバー６を瞬間的に離す動作を行うと、上記ばね１３の付勢力によって上記カバー６が瞬間的に上昇するため、中空球２の内部の玉３が上方に跳ね、上方に跳ねあがった玉３をネオジム磁石１１の磁力によって速やかに中空球２の内面に保持することができる。
【００２２】
上記切り換え式ベル１によれば、揺動する打撃部を音響ワン部に衝突させて警告音を発生させる、特許文献１に記載の切り換え式ベルに比べて、水平方向への力の作用が少ない場合であっても警告音を発生させることができる。
つまり、ジョギングや自転車のように、上下方向への力の作用があるものの水平方向への力の作用が少ない活動を行う場合に、上記特許文献１の切り換え式ベルでは十分に警告音を発生させることができなかった。
これに対し、本実施例の切り換え式ベル１の場合、中空球２の内部で玉３を移動させて、これらの衝突により警告音を発生させる構成となっていることから、上記ジョギング等で使用しても良好に警告音を発生させることができる。
また、本実施例の切り換え式ベル１は、警告音停止状態および警告音発生状態に切り換えることが可能となっているため、警告音が不要な状況においては容易に警告音が発生しないようにすることができる。
さらに、上記カバー６によって上記筒状部材４から中空球２までを覆うことにより、中空球２から発生される警告音が阻害されず、安定して警告音を発生させることが可能となっている。
【００２３】
なお、上記実施例においては、上記保持部材５にネオジム磁石１１を設けるとともに、上記玉３を磁性体材料としているが、保持部材５に磁性体材料を設け、上記玉３を磁石としてもよく、また双方を磁石としてもよい。
また、上記実施例における上記切換手段９は、上記回転カム１４を用いた回転カム機構となっているが、その他の機構を用いることも可能である。
例えば、上記保持部材５または筒状部材４のいずれか一方に係合突起を設け、他方に該係合突起が係合する被係合部を形成し、さらにこの係合突起と被係合部との係合状態を解除する解除手段を備えた機構であっても良い。
その場合、保持部材５を筒状部材４に対して後退位置に位置させた際に係合突起と被係合部とが係合するようにし、その状態で上記解除手段がこれらの係合状態を解除すると、ばねの付勢力等によって保持部材５を筒状部材４における前進位置に位置させることができる。
その他の機構としては、筒状部材４の内面と保持部材５の外面にそれぞれらせん状のカム斜面を設け、上記保持部材５をこのカム斜面に沿って所定角度回転させることにより、保持部材５が筒状部材４に対して上下に移動するようにした構成も考えられる。
【符号の説明】
【００２４】
１  切り換え式ベル                ２  中空球
３  玉                            ４  筒状部材
５  保持部材                      ６  カバー
９  切換手段
【図１】
2015002710.tif 000003
【図２】
2015002710.tif 000004
【図３】
2015002710.tif 000005
【図４】
2015002710.tif 000006
【図５】
2015002710.tif 000007